(57)【要約】【課題】  カラー画像信号からモノクロ画像信号を生成するための設定をユーザが指定する手段を提供する。【解決手段】  モノクロ画像データ生成手段に入力されたカラー画像データの各カラーチャネルを規定の比率で合成しモノクロ画像データを生成するための演算手段を備え、演算手段で使用する合成比率をユーザが指定するための操作手段を備える。【選択図】  図１
2007129447.tif 000002
【特許請求の範囲】
【請求項１】
カラー画像データを入力するためのカラー画像入力手段と、入力されたカラー画像データを記憶する記憶手段と、記憶されたカラー画像データからモノクロ画像データを生成するためのモノクロ画像データ生成手段と、該モノクロ画像データを出力するためのモノクロ画像出力手段とを備える画像処理システムであって、
前記モノクロ画像データ生成手段には前記入力されたカラー画像データの各カラーチャネルを規定の比率で合成しモノクロ画像データを生成するための演算手段を備え、
前記演算手段で使用する合成比率をユーザが指定するための操作手段を備えることを特徴とする画像処理システム。
【請求項２】
カラー画像データを入力するためのカラー画像入力手段と、入力されたカラー画像データを記憶する記憶手段と、記憶されたカラー画像データからモノクロ画像データを生成するためのモノクロ画像データ生成手段と、該モノクロ画像データを出力するためのモノクロ画像出力手段とを備える画像処理システムであって、
前記カラー画像入力手段によって入力されたカラー画像データにおいて文字領域と写真領域とを分離判定するための像域判定手段と、
前記像域判定手段の結果を示すフラグデータを生成し記憶するための像域フラグ生成手段および像域フラグ記憶手段と、
前記モノクロ画像データ生成手段には前記入力されたカラー画像データの各カラーチャネルを像域別に規定される比率で合成しモノクロ画像データを生成するための演算手段を備え、
前記演算手段で使用する合成比率を像域別にユーザが指定するための操作手段を備えることを特徴とする画像処理システム。
【請求項３】
前記カラー画像入力手段は、カラースキャナであることを特徴とする請求項１又は請求項２に記載の画像処理システム。
【請求項４】
前記カラー画像入力手段は、少なくともコンピュータから送信されたＰＤＬ（ページ記述言語）による文書を受信することであることを特徴とする請求項１又は請求項２に記載の画像処理システム。
【請求項５】
前記モノクロ画像出力手段は、プリンタであることを特徴とする請求項１又は請求項２に記載の画像処理システム。
【請求項６】
前記モノクロ画像出力手段は、モノクロ画像データを記憶装置を含む機器に送信する手段であることを特徴とする請求項１又は請求項２に記載の画像処理システム。
【請求項７】
ＰＤＬ（ページ記述言語）データを入力するためのＰＤＬデータ入力手段と、前記ＰＤＬデータ内の画像データをラスター画像に展開するための伸張手段と、前記ＰＤＬデータを解析し付加情報を読み取るための解析手段と、前記解析手段によって解析された付加情報を元に前記ラスター画像の各オブジェクトに対する属性情報を生成するための属性情報生成手段と、前記ラスター画像データからモノクロ画像データを生成するためのモノクロ画像データ生成手段と、該モノクロ画像データを出力するためのモノクロ画像出力手段とを備える画像処理システムであって、
前記モノクロ画像データ生成手段には前記ラスター画像データの各カラーチャネルを属性別に規定される比率で合成しモノクロ画像データを生成するための演算手段を備え、
前記演算手段で使用する合成比率を属性別にユーザが指定するための操作手段を備えることを特徴とする画像処理システム。
【請求項８】
前記モノクロ画像出力手段は、プリンタであることを特徴とする請求項７に記載の画像処理システム。
【請求項９】
前記モノクロ画像出力手段は、モノクロ画像データを記憶装置を含む機器に送信する手段であることを特徴とする請求項７に記載の画像処理システム。
【請求項１０】
請求項１、請求項２又は請求項７のいずれかに記載の画像処理システムにおいて、
モノクロ画像データ生成のためのカラーチャネル合成比率を複数種類規定し記憶しておく合成比率記憶手段を更に備え、
前記操作手段では、前記合成比率記憶手段で記憶されている複数種類の合成比率から任意のものを選択する
ことを特徴とする画像処理システム。
【請求項１１】
請求項１から請求項１０のいずれかに記載の画像処理システムにおいて、
前記操作手段でカラーチャネル合成比率を操作する際に、設定中の合成比率による予測画像の表示をリアルタイムで行うためのプレビュー手段を備えることを特徴とする画像処理システム。
【請求項１２】
請求項１、請求項２、請求項７又は請求項１１に記載の画像処理システムにおいて、
任意のカラーチャネル合成比率をユーザが登録するための合成比率登録手段と、
前記合成比率登録手段によって登録されたものから任意の登録内容を選択することによって、前記演算手段で使用する合成比率を設定するための合成比率選択手段と
を備えることを特徴とする画像処理システム。
【請求項１３】
請求項１から請求項１２のいずれかに記載の画像処理システムにおいて、
標準とする１種類以上のカラーチャネル合成比率を記憶するための標準比率記憶手段と、
合成比率を設定するための操作中に設定を前記標準とする合成比率に置き換えるための操作手段と
を備えることを特徴とする画像処理システム。
【請求項１４】
カラー画像データを入力するためのカラー画像入力工程と、入力されたカラー画像データを記憶する記憶工程と、記憶されたカラー画像データからモノクロ画像データを生成するためのモノクロ画像データ生成工程と、該モノクロ画像データを出力するためのモノクロ画像出力工程とを備える画像処理方法であって、
前記モノクロ画像データ生成工程には前記入力されたカラー画像データの各カラーチャネルを規定の比率で合成しモノクロ画像データを生成するための演算工程を有し、
前記演算工程で使用する合成比率をユーザが指定するための操作工程を有することを特徴とする画像処理方法。
【請求項１５】
請求項１４に記載の画像処理方法、又は請求項１〜請求項１３のいずれかに記載の画像処理システムの機能をコンピュータに実現させるためのプログラム。
【請求項１６】
請求項１５に記載のプログラムを記憶したコンピュータで読取り可能な記憶媒体。
【発明の詳細な説明】
【技術分野】
【０００１】
本発明は、カラー画像データからモノクロ出力物を得るための画像処理装置及び画像処理方法ならびに画像処理方法を実行するプログラム及び、記憶媒体に関するものである。
【背景技術】
【０００２】
従来、カラー画像信号を利用してモノクロ画像信号を生成する処理を行い、例えばカラー複写機においてモノクロコピーを実施する、ＰＣなどから送信されたカラー情報を含むドキュメントをプリンタにてモノクロプリント出力を実施するなどが行われている。
【０００３】
カラー複写機等では、ＲＧＢカラーセンサによって原稿を読み取ることで取得したＲＧＢカラー画像信号をモノクロ信号に変換しモノクロプリント出力を行う場合、Ｇ信号のみを利用する方法や、ＲＧＢ信号を明度信号と色差信号に変換後、明度信号を利用する方法が知られている（例えば、特許文献１および特許文献２参照）。
【０００４】
また、ＲＧＢ画像信号を利用してモノクロ画像信号を生成するための演算式を複数用意し、画素の特性に応じて自動的に適用する演算式を切り替える方法が開示されている（例えば、特許文献３参照）。
【特許文献１】特許第０２７５５９７２号公報
【特許文献２】特許第０２７２０９２４号公報
【特許文献３】特開２００３−２２４７３１号公報
【発明の開示】
【発明が解決しようとする課題】
【０００５】
しかしながら、上述した従来の技術は、機器内部で全画像に対して規定された一定の方法で処理を行うか、既定の条件に従って画素毎または複数画素からなるブロック毎に好ましいと推測される処理を自動的に行う方法であるため、特にカラー原稿をモノクロコピーする場合やカラーデータをモノクロプリントする際に、ユーザが望む濃度特性で再現される保証は無かった。
【０００６】
従って、本発明の目的はカラー画像信号からモノクロ画像信号を生成するための設定をユーザが指定する手段を提供することにある。
【課題を解決するための手段】
【０００７】
上述した課題・問題点を解決するために、本発明は、カラー画像データを入力するためのカラー画像入力手段と、入力されたカラー画像データを記憶する記憶手段と、記憶されたカラー画像データからモノクロ画像データを生成するためのモノクロ画像データ生成手段と、該モノクロ画像データを出力するためのモノクロ画像出力手段とを備え、前記モノクロ画像データ生成手段には前記入力されたカラー画像データの各カラーチャネルを規定の比率で合成しモノクロ画像データを生成するための演算手段を備え、前記演算手段で使用する合成比率をユーザが指定するための操作手段を備えることを特徴とする。
【発明の効果】
【０００８】
本発明によって、カラースキャナで読み取り、ＲＧＢカラー画像信号として取り込んだ画像、外部から入力されたカラー画像データをモノクロ出力する際の信号合成設定をユーザが行う手段を設けたため、ユーザの好みに適合したモノクロ出力物を得ることが容易になる。また、画像の像域・属性別に信号合成設定を行うための手段を設けたため、原稿色や原稿に含まれる画像特性とユーザの好みとの適合性を高めたモノクロ出力物を得ることが可能となる。さらにまた、信号合成設定を保存して次回以降同一の設定を容易に選択することが可能となり、操作性を向上させる効果がある。
【発明を実施するための最良の形態】
【０００９】
（実施例１）
図１は、本実施例を適用するのに好適な出力デバイスおよび画像処理システムを有するデジタル複合機００１の構成を示す図である。
【００１０】
＜画像入力部（スキャナ）＞
図１において、画像入力デバイスであるスキャナ部２００は、原稿となる紙上の画像を照明し、図示しないＲ、Ｇ、Ｂそれぞれの色フィルタを設けた３ラインＣＣＤを走査することで得られる電荷量から、ＲＧＢカラー画像データを表す電気信号に変換する。原稿用紙は原稿フィーダ２０１のトレイ２０２にセットし、ユーザが操作部４００から読み取り起動指示することにより、コントローラＣＰＵ１０３がスキャナ２００に指示を与え、フィーダ２０１は原稿用紙を一枚ずつフィードし原稿画像の読み取り動作を行う。
【００１１】
＜画像出力部（プリンタ）＞
図１において、画像出力デバイスであるプリンタ部３００はラスター画像データを用紙上の画像に変換する部分である。印字方式は感光体ドラムや感光体ベルトを用いてトナーを紙に定着させる電子写真方式、微小ノズルアレイからインクを吐出して用紙上に直接画像を印字するインクジェット方式等があるが本実施例において印字方式は特に限定しない。プリント動作の起動はコントローラＣＰＵ１０３からの指示によって開始する。プリンタ部３００は、異なる用紙サイズまたは異なる用紙向きを選択できるように複数の給紙段を持ち、それに対応した用紙カセット３０２，３０３，３０４，３０５が装着される。また、排紙トレイ３０６は印字し終わった用紙を受けるものである。
【００１２】
＜デジタル複合機制御システム構成＞
本実施例を適用するのに好適なデジタル複合機００１の制御システム構成を図２に示す。
【００１３】
コントローラユニット１００は画像入力装置であるスキャナ２００や画像出力装置であるプリンタ３００と接続し、一方ではＬＡＮ８００や電話回線９００と接続することで、画像データやデバイス情報の入出力を行うためのコントローラである。
【００１４】
ＣＰＵ１０３はデジタル複合機００１全体を制御するコントローラとして機能する。
【００１５】
ＲＡＭ１０７はＣＰＵ１０３が動作するためのシステムワークメモリであり、画像データを一時記憶するための画像メモリとしても利用される。
【００１６】
ＲＯＭ１０８はブートＲＯＭとして利用され、デジタル複合機００１のブートプログラムが格納されている。
【００１７】
ＨＤＤ１０９はハードディスクドライブで、システムソフトウェア、画像データ等を格納する。
【００１８】
操作部Ｉ／Ｆ１０４は操作部４００とのインターフェース部で、操作部４００に表示する画像データを操作部４００に対して出力する。また、操作部４００からユーザが入力した情報をＣＰＵ１０３に伝える役割をする。
【００１９】
ネットワークＩ／Ｆ１０５はＬＡＮ８００に接続し、情報の入出力を行う。モデム１０６は公衆回線９００に接続し、データ送受信を行うための変調復調処理を行う。
【００２０】
以上のデバイスがシステムバス１０１上に配置される。
【００２１】
イメージバスＩ／Ｆ１１０はシステムバス１０１と画像データを高速で転送するイメージバス１０２を接続し、データ構造を変換するバスブリッジである。
【００２２】
イメージバス１０２は、ＰＣＩバスまたはＩＥＥＥ１３９４などの高速バスで構成される。
【００２３】
イメージバス１０２上には以下のデバイスが配置される。ページ記述言語レンダリング部１１１はＰＤＬコードをラスター画像に展開するとともに付属の情報をコントローラ内で使用可能なフォーマットに展開する。デバイスＩ／Ｆ部１１２は、画像入出力デバイスであるスキャナ２００やプリンタ３００とコントローラ１００を接続し、画像データの同期系／非同期系の変換を行う。入力画像処理部５００は、スキャナ２００で読み取られた画像やネットワークＩ／Ｆ部１１２を経由して外部から受信した画像などの入力画像データに対し補正、加工、編集を施し、その後のプリント出力または画像送信に適した処理を行う。中間画像処理部６００では、画像データの圧縮伸張処理さらに画像の拡大縮小を行う。出力画像処理部７００は、プリント出力画像データに対して、プリンタに合わせた補正、解像度変換等を行う。
【００２４】
図３は、本発明の第１の実施形態に係る画像処理装置の入力画像処理部５００の細部構成を示すブロック図である。
【００２５】
５０１は、入力画像の副走査方向の色ずれを補正する副走査色ずれ補正部であり、例えば、画像データの色ごとに１×５サイズのマトリクス演算を行う処理が行われる。
【００２６】
５０２は、入力画像の主走査方向の色ずれを補正する主走査色ずれ補正部であり、例えば、画像データの色ごとに５×１サイズのマトリクス演算を行う処理が行われる。
【００２７】
５０３は、入力画像中の画像種類を識別する像域判定部であり、例えば、入力画像中の、写真部分／文字部分、有彩色部分／無彩色部分等、それぞれの画像種類を構成する画素を識別し、その種別を示す属性フラグデータを画素単位で生成する。
【００２８】
５０４は、入力画像の空間周波数を任意に補正するフィルタ処理部であり、例えば、９×９サイズのマトリクス演算を行う処理が行われる。
【００２９】
５０５は、入力画像中の画像信号データをサンプリングおよびカウントするヒストグラム処理部であり、例えば、入力画像がカラーであるのかモノクロ画像であるのかの判別、入力画像の下地レベルの判定が行われる。
【００３０】
５０６は、入力画像の色味の補正を行う入力色補正部であり、例えば、入力画像の色空間を任意の色空間に変換するなどの処理を行う。
【００３１】
入力画像処理部５００内の処理は、上述した副走査色ずれ補正部５０１〜入力色補正部５０６の全てを用いる処理だけに限られるものではなく、他の画像処理モジュールが追加されても良いし、削除されても良い。さらに、副走査色ずれ補正部５０１〜入力色補正部５０６の処理順に関しても、これだけに限られるものではない。
【００３２】
すなわち、本実施形態における画像処理装置では、入力画像処理手段（入力画像処理部５００）が、画像データの主走査方向の色ずれを補正する主走査色ずれ補正手段（主走査色ずれ補正部５０２）、画像データの副走査方向の色ずれを補正する副走査色ずれ補正手段（副走査色ずれ補正部５０１）、画像データの空間周波数を補正する空間周波数補正手段（フィルタ処理部５０４）、画像データの色味を補正する入力色補正手段（入力色補正部５０６）の少なくとも１つを備えることを特徴とする。
【００３３】
入力画像処理部５００で処理された画像データと、像域判定部５０３で生成された属性フラグデータは、中間画像処理部６００へ転送される。
【００３４】
なお、ページ記述言語レンダリング部１１１からの画像データと属性フラグデータは、入力画像処理部５００の画像処理を通さずに、中間画像処理部６００に入力させる構成にしても良い。
【００３５】
図４は、本発明の第１の実施形態に係る画像処理装置の中間画像処理部６００の細部構成を示すブロック図である。入力画像処理部５００によって前述したような補正処理等を施された画像データは、属性フラグデータと共に、中間画像処理部６００に転送された後、以下の構成の各処理部で細部処理が施される。
【００３６】
６１０は圧縮処理部であり、画像データと属性フラグデータを各々所定の圧縮方法により圧縮処理が行われる。
【００３７】
６２０は記憶部であり、圧縮処理部６１０で圧縮された画像データと属性フラグデータとを記憶するものであり、大容量ハードディスク等で構成される。
【００３８】
６３０は解凍処理部であり、圧縮されている画像データと属性フラグデータを各々所定の解凍方法により解凍処理が行われる。
【００３９】
６４０は、拡大縮小処理部であり、画像データに対して、ユーザが操作パネル４０１上で、設定を行った倍率または外部からの受信データに従った倍率で拡大縮小処理を行う処理が行われる。拡大縮小処理には、既知の注目画素に対して近傍画素の値を割り当てて置き換えを行うニヤレストネイバー処理による変倍、注目画素と近傍画素との間の補間値を割り当てるバイリニア処理による変倍、近傍画素に対して関数処理を行うことにより割り当てるバイキュービック処理による変倍等を使用する。
【００４０】
すなわち、本実施形態に係る画像処理装置は、画像データを入力する画像入力手段（スキャナ部２００、ページ記述言語レンダリング部１１１）と、入力画像データの補正処理を行う入力画像処理手段（入力画像処理部５００）と、入力画像処理部５００によって補正処理が行われた画像データを所定の圧縮率で圧縮する画像圧縮手段（圧縮処理部６１０）と、圧縮処理部６１０によって圧縮された画像データを記憶する記憶手段（記憶部６２０）と、記憶部６２０に記憶された画像データを解凍する解凍手段（解凍処理部６３０）と、解凍処理部６３０によって解凍された画像データを所定の変倍率で変倍（拡大又は縮小）する変倍手段（拡大縮小処理部６４０）と、拡大縮小処理部６４０によって変倍された画像データを出力する画像出力手段（出力画像処理部７００）とを備える。
【００４１】
図５は、本発明の第１の実施形態に係る画像処理装置の出力画像処理部７００の細部構成を示すブロック図である。
【００４２】
７０１は地肌除去部であり、画像データの地肌色すなわち不要な下地のカブリ除去を行う。例えば、３×８サイズのマトリクス演算や、１次元ルックアップテーブル（ＬＵＴ）により地肌除去処理を行う。
【００４３】
７０２はモノクロ生成部であり、カラー画像データをモノクロデータに変換し、単色としてプリントする際に、カラー画像データ、例えばＲＧＢデータを、グレイ（Ｇｒａｙ）単色に変換する。例えば、ＲＧＢに任意の定数を掛け合わせ、グレイ信号とする１×３サイズのマトリクス演算が行われる。
【００４４】
７０３は画像データを出力するプリンタ部３００の特性に合わせて色補正を行う出力色補正部である。例えば、４×８サイズのマトリクス演算や、ダイレクトマッピングによる処理が行われる。
【００４５】
７０４は画像データの空間周波数を任意に補正するフィルタ処理部であり、例えば９×９サイズのマトリクス演算処理が行われる。
【００４６】
７０５は出力するプリンタ部３００の特性に合わせて、ガンマ補正を行うガンマ補正部であり、通常１次元のルックアップテーブル（ＬＵＴ）が用いられる。
【００４７】
７０６は出力するプリンタ部３００の階調数に合わせて任意の擬似中間調処理を行う擬似中間調処理部であり、２値化や３２値化等の任意のスクリーン処理や誤差拡散処理が行われる。
【００４８】
尚、出力画像処理部７００内の処理は、上述した地肌除去部７０１〜擬似中間調処理部７０６の全てを用いる処理だけに限られるものではなく、他の画像処理モジュールが追加されても良いし、削除されても良い。さらに、地肌除去部７０１〜擬似中間調処理部７０６の処理順に関しても、この順序だけに限られるものではない。
【００４９】
すなわち、本実施形態に係る画像処理装置は、印刷媒体上に画像データを画像形成する画像形成手段（プリンタ部３００）を備えており、画像出力手段（出力画像処理部）が、画像データの地肌色を飛ばして画像形成時に不要となる下地のカブリ除去を行う地肌除去手段（地肌除去部７０１）、画像データをモノクロデータに変換するモノクロ生成手段（モノクロ生成部７０２）、プリンタ部３００の特性に合わせて画像データの色補正を行う出力色補正手段（出力色補正部７０３）、プリンタ部３００の特性に合わせて画像データをガンマ補正するガンマ補正手段（ガンマ補正部７０４）、プリンタ部３００で画像形成可能な階調数に合わせて画像データの擬似中間調処理を行う擬似中間調処理手段（擬似中間調処理部７０６）の少なくとも１つを備えることを特徴とする。
【００５０】
上述したように、図３、図４、図５とに示される、入力画像処理部５００、擬似中間画像処理部６００、出力画像処理部７００各々の画像処理部には、画像データと共に、図３を用いて説明を行った入力画像中の画像種類を識別する像域判定部５０３で生成された属性フラグデータまたは外部からの受信データに従って生成された属性フラグデータも、像域判定部５０３以降では画像データと共に各画像処理部に入力される。そして、各画像処理部では、その属性フラグデータに従って、各々の画像領域に対して最適な処理係数による画像処理が施される。
【００５１】
例えば、図５の出力画像処理部７００のフィルタ処理部７０４では、文字領域に対して画像の高周波成分を強調して文字の鮮鋭度を強調し、また網点領域に対してはいわゆるローパスフィルタ処理を行い、デジタル画像に特有のモアレ成分を除去する、といった処理を行うことができる。
【００５２】
例えば、トナーセーブモードと称される、トナー消費量を削減してプリント出力コストを節約するモードでは、図５の出力画像処理部７００の出力色補正部７０３において文字領域、写真領域、網点領域個別に消費量削減割合を調整することにより、画質を著しく損なうことなくトナー消費量を削減する処理を行うことができる。
【００５３】
このようにして各処理モジュールで、属性フラグデータに従って、画像領域に対して最適な処理を行うことで、高画質化を行うことができる。
【００５４】
＜操作部＞
図６に本実施例を適用するのに好適なデジタル複合機の操作部４００を示す。液晶操作パネル４０１は液晶にタッチパネルを組み合わせたものであり、設定内容の表示、ソフトキーの表示等がなされるものである。スタートキー４０２はコピー動作等を開始指示するためのハードキーであり、内部に緑色および赤色のＬＥＤが組み込まれており、スタート可能のときに緑色、スタート不可のときに赤色のＬＥＤが点灯する。ストップキー４０３は動作を停止させるときに使用するハードキーである。ハードキー群４０４には、テンキー、クリアキー、リセットキー、ガイドキー、ユーザモードキーが設けられている。
【００５５】
＜モノクロ画像データ生成処理＞
前述のモノクロ生成部７０２では、入力されるＲＧＢ画像データから画素毎にＲＧＢ画素値を既定の割合ａ：ｂ：ｃで合成することでモノクロ画像データを生成する。このとき生成されるモノクロ画像データは、（ａ×Ｒ＋ｂ×Ｇ＋ｃ×Ｂ）／（ａ＋ｂ＋ｃ）で表される。ここで例えば標準的な輝度成分に相当する信号を得る場合には、ａ＝３、ｂ＝６、ｃ＝１と設定する。
【００５６】
＜モノクロ画像データ生成設定＞
図７は上述のＲＧＢ画素値を合成する際の割合を指定するための操作画面例である。モノクロ信号生成設定画面８１０内には、Ｒ信号、Ｇ信号、Ｂ信号それぞれに対応する３つのスライダ８１３、ＯＫボタン８１１、キャンセルボタン８１２、標準に戻すボタン８１４が配置される。
【００５７】
ユーザは、スライダ８１３を操作することによって、ＲＧＢ画素値を合成する際の割合を指定する。スライダの目盛りはこの合成におけるＲＧＢ信号値の相対的な関係を示している。図７では、スライダがＲ＝３、Ｇ＝６、Ｂ＝１と設定されており、モノクロ画像データはＲ：Ｇ：Ｂ＝３：６：１の割合で合成して生成させることを示している。
【００５８】
標準に戻すボタン８１４は、ＲＧＢの割合を既定の標準値に設定するためのボタンであり、これを押下すると、スライダ８１３が既定の標準値に対応した位置に変更される。既定の標準値には、例えば前述の標準的な輝度成分に相当する、Ｒ：Ｇ：Ｂ＝３：６：１などを指定しておく。
【００５９】
ＯＫボタン８１１を押下すると、その直前に表示されていた設定内容を保持し、この操作画面が閉じられる。キャンセルボタン８１２を押下すると、この操作画面を開く直前の設定内容を保持し、この操作画面が閉じられる。
【００６０】
図８は図７で述べた機能に加え、プレビュー機能を持った操作画面例である。プレビューエリア８２４には、プレビューチェックボックス８２５、画像表示エリア８２６があり、プレビューチェックボックス８２５がチェックされていると、表示エリア８２６に予めスキャンして得た画像のモノクロ画像が表示される。ここに表示する画像は、スキャン画像全体でも良いし、一部でも良い。また、図示しない拡大縮小設定手段によって、画像の一部を拡大表示または縮小表示することを可能にしても良い。画像表示エリア８２６に表示されるモノクロ画像は、スライダ８２３でＲＧＢの合成割合を操作する度にそれに合わせてリアルタイムで表示を変更する。これにより、ユーザはプレビュー画面を参考にしてＲＧＢの合成割合を決定することができる。
【００６１】
プレビューチェックボックス８２５がチェックされていない場合には、表示エリア８２６には前述した画像は表示しない。
【００６２】
（実施例２）
ここでは、モノクロデータ生成時のＲＧＢの合成割合を画像中の属性別に指定する方法を示す。ここでの属性は、例えばスキャン画像に対して像域判定部５０３で文字部と写真部を判定した結果を利用するのが好ましい。またその他の例としてはＰＤＬデータのオブジェクトであるテキスト、イメージ、グラフィック等の情報を利用することもできる。
【００６３】
図９は本実施例に好適な操作画面例である。モノクロ信号生成設定画面８３０には、Ｒ信号、Ｇ信号、Ｂ信号それぞれに対応する３つのスライダを含む調整部分が文字部用８３３と写真部用８３４との２種類用意されている。ＯＫボタン８３１、キャンセルボタン８３２、標準に戻すボタン８３５の機能は、実施例１で述べた通りである。
【００６４】
図９の設定例では、写真部に対してはＲ：Ｇ：Ｂ＝３：６：１、即ち標準的な輝度信号がモノクロ画像信号として採用される。一方、文字部に対してはＲ：Ｇ：Ｂ＝１：２：１の割合で信号を合成する。この設定値を使用した場合、標準的な輝度信号に置き換える場合に比べ、原稿がカラーの場合にその色によって再現濃度が高濃度になる、逆に低濃度になるなどの違いが生じる。例えば、一般に黄緑色と呼ばれる色の文字を再現させたい場合、各色の信号値が８ビットで表現されているとして、合成前のカラー画素値が（Ｒ，Ｇ，Ｂ）＝（１２８，２５５，０）であると仮定すると、Ｒ：Ｇ：Ｂ＝３：６：１であれば、モノクロ信号値は１９１、Ｒ：Ｇ：Ｂ＝１：２：１であれば、モノクロ信号値は１６０となる。即ち、この例の文字用設定値を利用したほうが、約３０レベル分高濃度で再現される信号値となる。黄緑色の罫線、文字等を含む原稿をモノクロ出力したときにその罫線、文字等を高濃度に再現させる場合には以上の設定を採用することが有効である。
【００６５】
このように、属性別に再現濃度特性を指定させることにより、自然な階調を重視する属性（写真など）と画像情報の欠落を防止することを重視する属性（文字など）が混在する原稿に対してもユーザの好みに合わせた再現濃度特性を実現する。
【００６６】
図１０は図９で述べた機能に加え、プレビュー機能を持った操作画面例である。文字部用のスライダ８４３、写真部用のスライダ８４４およびプレビューエリア８４５が配置され、プレビューチェックボックス８４６がチェックされているとき、ユーザはプレビュー画像８４７を確認しながらＲＧＢ信号の合成割合を属性別に調整することができる。
【００６７】
（実施例３）
ここではモノクロ画像信号を生成するためのＲＧＢ信号値比の設定を登録する方法と、登録済みのＲＧＢ信号値比を利用する方法を説明する。
【００６８】
図１１に示すモノクロ信号生成設定画面８５０は、実施例２の操作画面であるモノクロ信号生成設定画面８４０（図１０）に登録ボタン８４９を加えたものである。ここでは実施例２と同様の機能に関しての説明は省略する。登録ボタン８４９を押下すると、モノクロ信号生成設定登録画面８６０（図１２）が表示される。このとき属性毎のスライダ８６３、８６４には前画面モノクロ信号生成設定画面８５０で設定されていたものが表示されている。ユーザはこの画面でも属性毎にモノクロ信号生成のＲＧＢ比を変更することが可能である。モノクロ生成モード名入力部８６５に、これから登録するモノクロ信号生成ルールのモード名を任意で入力する。既に登録されているモノクロ生成モードの一覧はモード一覧表示部８６６に表示される。ここで登録ボタン８６１を設定すると、直前に表示されていた内容が登録される。
【００６９】
図１３は前述の登録がされている場合に、既定のモードから選択する画面８７０である。モード選択メニュー８７３では登録されているモノクロ生成モードが一覧で表示される。ここで選択されているモードの設定内容は、設定内容表示エリア８７４に表示される。ここでＯＫボタン８７１を押下すると、その時点で選択されていたモードが設定され、この画面は閉じられる。登録されているモードに無い設定を行う場合は、個別設定ボタン８７５を押下する。するとＲＧＢの割合を設定する画面、例えばモノクロ信号生成設定画面８５０が表示され、前述のような設定が可能になる。
【図面の簡単な説明】
【００７０】
【図１】本実施例を適用するのに好適なデジタル複合機概観図
【図２】本実施例を適用するのに好適なデジタル複合機の制御システム構成図
【図３】入力画像処理部
【図４】中間画像処理部
【図５】出力画像処理部
【図６】本実施例を適用するのに好適なデジタル複合機の操作部
【図７】実施例１を適用するのに好適な操作画面
【図８】実施例１を適用するのに好適な操作画面
【図９】実施例２を適用するのに好適な操作画面
【図１０】実施例２を適用するのに好適な操作画面
【図１１】実施例３を適用するのに好適な操作画面
【図１２】実施例３を適用するのに好適な操作画面
【図１３】実施例３を適用するのに好適な操作画面
【符号の説明】
【００７１】
００１  デジタル複合機
１００  コントローラユニット
１０３  ＣＰＵ
１０９  ＨＤＤ
５００  入力画像処理部
６００  中間画像処理部
７００  出力画像処理部
２００  スキャナ
３００  プリンタ
４００  操作部
【図１】
2007129447.tif 000003
【図２】
2007129447.tif 000004
【図３】
2007129447.tif 000005
【図４】
2007129447.tif 000006
【図５】
2007129447.tif 000007
【図６】
2007129447.tif 000008
【図７】
2007129447.tif 000009
【図８】
2007129447.tif 000010
【図９】
2007129447.tif 000011
【図１０】
2007129447.tif 000012
【図１１】
2007129447.tif 000013
【図１２】
2007129447.tif 000014
【図１３】
2007129447.tif 000015